(57)【要約】【課題】特定の無線基地局に負荷が集中した場合にその負荷を適切に分散することができる技術が望まれていた。【解決手段】無線基地局であって、無線基地局と複数の移動局のそれぞれとの間の通信品質、及び複数の移動局のそれぞれに割り当てられている通信リソースの量を取得する移動局情報取得部と、通信品質及び通信リソースの量に基づいて、複数の移動局から少なくとも１つの移動局を特定する移動局特定部と、少なくとも１つの移動局を、他の無線基地局にハンドオーバする処理を実行するハンドオーバ処理実行部とを備える無線基地局を提供する。【選択図】図２
2018032988.tif 000002
【特許請求の範囲】
【請求項１】
無線基地局であって、
前記無線基地局と複数の移動局のそれぞれとの間の通信品質、及び前記複数の移動局のそれぞれに割り当てられている通信リソースの量を取得する移動局情報取得部と、
前記通信品質及び前記通信リソースの量に基づいて、前記複数の移動局から少なくとも１つの移動局を特定する移動局特定部と、
前記少なくとも１つの移動局を、他の無線基地局にハンドオーバする処理を実行するハンドオーバ処理実行部と
を備える無線基地局。
【請求項２】
前記移動局特定部は、前記複数の移動局のうち、前記通信品質が予め定められた閾値より低く、かつ、前記通信リソースの量が予め定められた閾値より多い移動局を特定する、請求項１に記載の無線基地局。
【請求項３】
前記複数の移動局のうち、前記無線基地局のセルエッジに位置する移動局を推定する移動局推定部
をさらに備え、
前記移動局特定部は、前記移動局推定部によって推定された移動局の前記通信品質及び前記通信リソースの量に基づいて、前記移動局推定部によって推定された移動局から前記少なくとも１つの移動局を特定する、請求項１又は２に記載の無線基地局。
【請求項４】
前記移動局情報取得部は、前記通信品質としてＭＣＳインデックスを取得する、請求項１から３のいずれか一項に記載の無線基地局。
【請求項５】
前記移動局情報取得部は、前記通信リソースの量として、前記移動局に割り当てられているＰＲＢ数を取得する、請求項１から４のいずれか一項に記載の無線基地局。
【請求項６】
前記無線基地局と無線通信接続を確立している移動局の数が予め定められた数より多いか否かを判定する接続数判定部
をさらに備え、
前記移動局特定部は、前記接続数判定部によって多いと判定された場合に、前記少なくとも１つの移動局を特定する、請求項１から５のいずれか一項に記載の無線基地局。
【請求項７】
前記無線基地局におけるＰＲＢ使用率が予め定められた閾値より高いか否かを判定するＰＲＢ判定部
をさらに備え、
前記移動局特定部は、前記ＰＲＢ判定部によって高いと判定された場合に、前記少なくとも１つの移動局を特定する、請求項１から６のいずれか一項に記載の無線基地局。
【請求項８】
コンピュータを、請求項１から７のいずれか一項に記載の無線基地局として機能させるためのプログラム。
【発明の詳細な説明】
【技術分野】
【０００１】
本発明は、無線基地局及びプログラムに関する。
【背景技術】
【０００２】
無線基地局が、在圏する通信端末にＲＡＴ（Ｒａｄｉｏ  Ａｃｃｅｓｓ  Ｔｅｃｈｎｏｌｏｇｙ）の優先度を送信することによって、通信端末のハンドオーバを制御するシステムが知られていた。（例えば、特許文献１参照）。
［先行技術文献］
［特許文献］
［特許文献１］特開２０１１−０４４９１５号公報
【発明の概要】
【発明が解決しようとする課題】
【０００３】
特定の無線基地局に負荷が集中した場合に、その負荷を適切に分散することができる技術が望まれていた。
【課題を解決するための手段】
【０００４】
本発明の第１の態様によれば、無線基地局が提供される。無線基地局は、無線基地局と複数の移動局のそれぞれとの間の通信品質、及び複数の移動局のそれぞれに割り当てられている通信リソースの量を取得する移動局情報取得部を備えてよい。無線基地局は、通信品質及び通信リソースの量に基づいて、複数の移動局から少なくとも１つの移動局を特定する移動局特定部を備えてよい。無線基地局は、少なくとも１つの移動局を、他の無線基地局にハンドオーバする処理を実行するハンドオーバ処理実行部を備えてよい。
【０００５】
上記移動局特定部は、上記複数の移動局のうち、上記通信品質が予め定められた閾値より低く、かつ、上記通信リソースの量が予め定められた閾値より多い移動局を特定してよい。上記無線基地局は、上記複数の移動局のうち、上記無線基地局のセルエッジに位置する移動局を推定する移動局推定部をさらに備えてよく、上記移動局特定部は、上記移動局推定部によって推定された移動局の上記通信品質及び上記通信リソースの量に基づいて、上記移動局推定部によって推定された移動局から前記少なくとも１つの移動局を特定してよい。上記移動局情報取得部は、上記通信品質としてＭＣＳインデックスを取得してよい。上記移動局情報取得部は、上記通信リソースの量として、上記移動局に割り当てられているＰＲＢ数を取得してよい。
【０００６】
上記無線基地局は、上記無線基地局と無線通信接続を確立している移動局の数が予め定められた数より多いか否かを判定する接続数判定部をさらに備えてよく、上記移動局特定部は、上記接続数判定部によって多いと判定された場合に、上記少なくとも１つの移動局を特定してよい。上記無線基地局は、上記無線基地局におけるＰＲＢ使用率が予め定められた閾値より高いか否かを判定するＰＲＢ判定部をさらに備えてよく、上記移動局特定部は、上記ＰＲＢ判定部によって高いと判定された場合に、上記少なくとも１つの移動局を特定してよい。
【０００７】
本発明の第２の態様によれば、コンピュータを、上記無線基地局として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】移動局４００の通信環境の一例を概略的に示す。
【図２】無線基地局１００の機能構成の一例を概略的に示す。
【図３】無線基地局１００による処理の流れの一例を概略的に示す。
【図４】無線基地局１００として機能するコンピュータ９００の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、移動局４００の通信環境の一例を概略的に示す。移動局４００は、例えば、スマートフォン等の携帯電話及びタブレット端末等である。移動局４００は、複数種類の無線通信方式に準拠していてよい。例えば、移動局４００は、時分割多重方式及び周波数分割多重方式に準拠する。
【００１２】
図１は、移動局４００が、無線基地局１００によって形成された無線通信エリア１２及び無線通信エリア１４のエリア内、無線基地局２００によって形成された無線通信エリア２２及び無線通信エリア２４のエリア内、並びに、無線基地局３００によって形成された無線通信エリア３２のエリア内に位置する場合を例示している。図１では、見易さのために無線基地局１００、無線通信エリア１２及び無線通信エリア１４と、無線基地局２００、無線通信エリア２２及び無線通信エリア２４と、無線基地局３００及び無線通信エリア３２との上下方向の位置をずらして示している。
【００１３】
無線基地局１００は、時分割多重方式を用いる。無線基地局１００は、例えば、ＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）方式を用いる。本例では、無線基地局１００がＡＸＧＰ（Ａｄｖａｎｃｅｄ  ｅＸｔｅｎｄｅｄ  Ｇｌｏｂａｌ  Ｐｌａｔｆｏｒｍ）を用いる場合を示す。
【００１４】
無線基地局１００は、２０ＭＨｚ幅を使用する無線通信エリア１２と、１０ＭＨｚ幅を使用する無線通信エリア１４とを形成している。境界１６は、無線通信エリア１２のうち、移動局４００によって測定される無線基地局１００の品質がハンドオーバの閾値を下回る境界を例示する。境界１６の内側では、移動局４００によって測定される無線基地局１００の品質がハンドオーバの閾値を上回る。境界１６の外側では、移動局４００によって測定される無線基地局１００の品質がハンドオーバの閾値を下回る。
【００１５】
無線基地局２００は、時分割多重方式を用いる。無線基地局２００は、例えば、ＴＤ−ＬＴＥ方式を用いる。本例では、無線基地局１００がＡＸＧＰを用いる場合を示す。
【００１６】
無線基地局２００は、２０ＭＨｚ幅を使用する無線通信エリア２２と、１０ＭＨｚ幅を使用する無線通信エリア２４とを形成している。境界２６は、無線通信エリア２２のうち、移動局４００によって測定される無線基地局２００の品質がハンドオーバの閾値を下回る境界を例示する。境界２６の内側では、移動局４００によって測定される無線基地局２００の品質がハンドオーバの閾値を上回る。境界２６の外側では、移動局４００によって測定される無線基地局２００の品質がハンドオーバの閾値を下回る。
【００１７】
無線基地局３００は、周波数分割多重方式を用いる。本例では、無線基地局３００が、ＦＤＤ−ＬＴＥ（Ｆｒｅｑｕｅｎｃｙ  Ｄｉｖｉｓｉｏｎ  Ｄｕｐｌｅｘ  Ｌｏｎｇ  Ｔｅｒｍ  Ｅｖｏｌｕｔｉｏｎ）方式を用いる場合を示す。境界３６は、無線通信エリア３２のうち、移動局４００によって測定される無線基地局３００の品質がハンドオーバの閾値を下回る境界を例示する。境界３６の内側では、移動局４００によって測定される無線基地局３００の品質がハンドオーバの閾値を上回る。境界３６の外側では、移動局４００によって測定される無線基地局３００の品質がハンドオーバの閾値を下回る。
【００１８】
従来技術によれば、無線通信エリア１２に在圏している移動局４００が境界１６の内側から外側に移動した場合、無線基地局２００又は無線基地局３００に対するハンドオーバが実行されることになる。移動局４００が無線通信エリア１２に在圏しているとは、移動局４００が無線通信エリア１２において無線基地局１００と無線通信接続を確立していることを示してよい。
【００１９】
ここで、境界１６の内側に多数の移動局４００が在圏した場合、無線基地局１００の処理負荷が高まったり、通信リソースが枯渇したりすることによって、複数の移動局４００の通信品質が低下してしまう場合がある。そのような場合に、境界１６の内側に位置する移動局４００を、無線基地局２００又は無線基地局３００に適切にハンドオーバすることによって、無線基地局１００の処理負荷を低減したり、通信リソースの枯渇を解消したりできることが望ましい。
【００２０】
本実施形態に係る無線基地局１００は、例えば、複数の移動局４００のそれぞれとの間の通信品質と、複数の移動局４００のそれぞれに割り当てられている通信リソースの量とを取得して、通信品質が予め定められた閾値より低く、かつ、通信リソースの量が予め定められた閾値より多い移動局４００を特定する。そして、無線基地局１００は、特定した移動局４００を無線基地局２００又は無線基地局３００にハンドオーバする処理を実行する。移動局４００をハンドオーバする処理とは、移動局４００を他の無線基地局に在圏させるための処理であってよい。
【００２１】
これにより、複数の移動局４００のうち、通信品質が低いにも関わらず通信量が多い移動局４００を優先的に他の無線基地局にハンドオーバすることができるので、通信リソースの枯渇を適切に解消しつつ、無線基地局１００の処理負荷を適切に低減することができる。また、境界１６の付近に位置し、無線基地局１００との間の通信品質が低い移動局４００であって、通信量が多い移動局４００を、当該移動局４００からみて無線基地局１００よりも近い無線基地局にハンドオーバすることができるので、通信量が多い移動局４００の通信品質を向上させることもでき、ユーザ体感を向上させることもできる。
【００２２】
図２は、無線基地局１００の機能構成の一例を概略的に示す。無線基地局１００は、通信制御部１０２、移動局情報管理部１０４、基地局情報管理部１０６、判定部１１０、移動局推定部１２０、移動局情報取得部１２２、移動局特定部１２４、及び処理実行部１２６を備える。
【００２３】
通信制御部１０２は、移動局４００との通信を制御する。通信制御部１０２は、移動局４００と無線通信接続を確立してよい。通信制御部１０２は、無線通信接続を確立している移動局４００の通信を中継してよい。
【００２４】
移動局情報管理部１０４は、移動局４００の情報を管理する。移動局情報管理部１０４は、無線基地局１００と複数の移動局４００のそれぞれとの間の通信品質を管理する。移動局情報管理部１０４は、例えば、移動局４００に対して選択されているＭＣＳ（Ｍｏｄｕｌａｔｉｏｎ  ａｎｄ  ｃｈａｎｎｅｌ  Ｃｏｄｉｎｇ  Ｓｃｈｅｍｅ）インデックスを管理する。移動局情報管理部１０４は、移動局４００のＳＩＮＲ（Ｓｉｇｎａｌ−ｔｏ−Ｉｎｔｅｒｆｅｒｅｎｃｅ  Ｎｏｉｓｅ  Ｒａｔｉｏ）を管理してもよい。
【００２５】
移動局情報管理部１０４は、複数の移動局４００のそれぞれに割り当てられている通信リソースの量を管理する。移動局情報管理部１０４は、例えば、移動局４００に割り当てられているＰＲＢ（Ｐｈｙｓｉｃａｌ  Ｒｅｓｏｕｒｃｅ  Ｂｌｏｃｋ）数を管理する。
【００２６】
基地局情報管理部１０６は、無線基地局１００の情報を管理する。例えば、基地局情報管理部１０６は、無線基地局１００と無線通信接続を確立している移動局４００の数を管理する。例えば、基地局情報管理部１０６は、無線基地局１００におけるＰＲＢ使用率を管理する。
【００２７】
判定部１１０は、接続数判定部１１２及びＰＲＢ判定部１１４を有する。接続数判定部１１２は、無線基地局１００と無線通信接続を確立している移動局４００の数が予め定められた数より多いか否かを判定する。予め定められた数は、無線基地局１００の管理者等によって任意に設定可能であってよい。ＰＲＢ判定部１１４は、無線基地局１００におけるＰＲＢ使用率が予め定められた閾値より高いか否かを判定する。予め定められた閾値は、無線基地局１００の管理者等によって任意に設定可能であってよい。
【００２８】
移動局推定部１２０は、無線基地局１００と無線通信接続を確立している複数の移動局４００のうち、無線基地局１００のセルエッジに位置する移動局４００を推定する。無線基地局１００のセルエッジとは、境界１６付近を示してよい。また、無線基地局１００のセルエッジとは、境界１６内側の境界１６付近を示してよい。移動局推定部１２０は、通信制御部１０２が移動局４００から受信したＭＲ（Ｍｅａｓｕｒｅｍｅｎｔ  Ｒｅｐｏｒｔ）に基づいて、移動局４００がセルエッジに位置するか否かを判定してよい。
【００２９】
移動局推定部１２０は、移動局４００からの信号受信強度に基づいて、移動局４００がセルエッジに位置するか否かを判定してもよい。例えば、移動局推定部１２０は、移動局４００からの信号受信強度が予め定められた閾値より低い場合、移動局４００がセルエッジに位置すると判定する。
【００３０】
移動局推定部１２０は、移動局４００によって無線基地局１００に対して送信された信号の遅延に基づいて、移動局４００がセルエッジに位置するか否かを判定してもよい。例えば、移動局推定部１２０は、移動局４００によって無線基地局１００に対して送信された信号の遅延が予め定められた閾値より大きい場合、移動局４００がセルエッジに位置すると判定する。
【００３１】
移動局情報取得部１２２は、無線基地局１００と複数の移動局４００のそれぞれとの間の通信品質を取得する。移動局情報取得部１２２は、移動局情報管理部１０４によって管理されている通信品質を取得してよい。移動局情報取得部１２２は、通信品質として、移動局４００に対して選択されているＭＣＳインデックスを取得してよい。
【００３２】
移動局情報取得部１２２は、複数の移動局４００のそれぞれに割り当てられている通信リソースの量を取得する。移動局情報取得部１２２は、移動局情報管理部１０４によって管理されている通信リソースの量を取得してよい。移動局情報取得部１２２は、通信リソースの量として、移動局４００に割り当てられているＰＲＢ数を取得してよい。
【００３３】
移動局情報取得部１２２は、例えば、接続数判定部１１２によって、無線基地局１００との間で無線通信接続を確立している移動局４００の数が予め定められた数より多いと判定された場合に、無線基地局１００と複数の移動局４００のそれぞれとの間の通信品質及び複数の移動局４００のそれぞれに割り当てられている通信リソースの量を取得する。
【００３４】
移動局情報取得部１２２は、例えば、ＰＲＢ判定部１１４によって、無線基地局１００におけるＰＲＢ使用率が予め定められた閾値より高いと判定された場合に、無線基地局１００と複数の移動局４００のそれぞれとの間の通信品質及び複数の移動局４００のそれぞれに割り当てられている通信リソースの量を取得する。
【００３５】
移動局情報取得部１２２は、無線基地局１００と無線通信接続を確立しているすべての移動局４００について、通信品質及び通信リソースの量を取得してよい。また、移動局情報取得部１２２は、移動局推定部１２０によって推定された複数の移動局４００のみについて、通信品質及び通信リソースの量を取得してもよい。
【００３６】
移動局特定部１２４は、移動局情報取得部１２２によって取得された通信品質及び通信リソースの量に基づいて、複数の移動局４００から少なくとも１つの移動局４００を特定する。移動局特定部１２４は、移動局情報取得部１２２によって取得された通信品質が予め定められた閾値より低く、かつ、通信リソースの量が予め定められた閾値より多い移動局４００を特定してよい。
【００３７】
移動局特定部１２４は、例えば、複数の移動局４００のうち、移動局情報取得部１２２によって取得されたＭＣＳインデックスが予め定められたＭＣＳインデックスの閾値よりも低く、かつ、移動局情報取得部１２２によって取得されたＰＲＢ数が予め定められたＰＲＢ数の閾値よりも多い移動局４００を特定する。ＭＣＳインデックスの閾値は、例えば５及び１０等の任意の値であってよく、無線基地局１００の管理者等によって設定可能であってよい。ＰＲＢ数の閾値も任意の値であってよく、無線基地局１００の管理者等によって設定可能であってよい。
【００３８】
移動局特定部１２４は、無線基地局１００と無線通信接続を確立している移動局４００の数が予め定められた数より多いと接続数判定部１１２によって判定された場合に、移動局４００を特定してよい。移動局特定部１２４は、無線基地局１００におけるＰＲＢ使用率が予め定められた閾値より高いとＰＲＢ判定部１１４によって判定された場合に、移動局４００を特定してよい。
【００３９】
処理実行部１２６は、移動局特定部１２４によって特定された移動局４００を他の無線基地局にハンドオーバする処理を実行する。処理実行部１２６は、例えば、ハンドオーバの候補となる無線基地局を選択し、選択した無線基地局の品質測定を、特定された移動局４００に対して指示する。処理実行部１２６は、移動局４００から測定結果を受信して、測定結果に基づいてハンドオーバ先の無線基地局を決定し、決定した無線基地局へのハンドオーバ指示を移動局４００に対して送信してよい。
【００４０】
ここで、処理実行部１２６は、複数の条件の少なくともいずれかを満たす無線基地局をハンドオーバの候補となる無線基地局として選択してよい。複数の条件は、無線基地局１００からのハンドオーバ実績があること、無線基地局１００とはロケーションが異なること、及び負荷が予め定められた閾値よりも低いことを含んでよい。無線基地局の負荷は、無線基地局のＣＰＵ負荷、接続を確立している移動局４００の数、及びＰＲＢ使用率等であってよい。
【００４１】
処理実行部１２６は、選択した無線基地局からハンドオーバ先を判断する条件を、特定した移動局４００に送信してよい。処理実行部１２６は、条件として、例えば、イベントＡ３（Ｎｅｉｇｈｂｏｕｒ  ｂｅｃｏｍｅｓ  ｏｆｆｓｅｔ  ｂｅｔｔｅｒ  ｔｈａｎ  Ｓｅｒｖｉｎｇ）又はイベントＡ４（Ｎｅｉｇｈｂｏｕｒ  ｂｅｃｏｍｅｓ  ｂｅｔｔｅｒ  ｔｈａｎ  ｔｈｒｅｓｈｏｌｄ）を送信する。イベントＡ３の具体例として、処理実行部１２６は、ＮＣｅｌｌ（Ｎｅｉｇｈｂｏｕｒ  Ｃｅｌｌ）のＲＳＲＰが、ＳＣｅｌｌ（Ｓｅａｒｖｉｎｇ  Ｃｅｌｌ）のＲＳＲＰよりオフセット値（３ｄｂｍ）を超過していることを条件として、移動局４００に送信してよい。イベントＡ４の具体例として、処理実行部１２６は、ＳＣｅｌｌのＲＳＲＰが絶対値（−１１０ｄｂｍ以上）を超過していることを条件として、移動局４００に送信してよい。
【００４２】
上述したように、無線基地局１００と無線通信接続を確立している複数の移動局４００のうち、無線基地局１００との間の通信品質が予め定められた閾値より低く、かつ、割り当てられている通信リソースの量が予め定められた閾値より多い移動局４００を他の無線基地局にハンドオーバすることによって、無線基地局１００の処理負荷を低減したり、通信リソースの枯渇を解消したりすることができる。
【００４３】
上述したように、無線基地局１００と無線通信接続を確立している移動局４００の数が予め定められた数より多いと接続数判定部１１２によって判定された場合に、移動局情報取得部１２２、移動局特定部１２４、及び処理実行部１２６が上記処理を実行することによって、無線基地局１００の処理負荷が高いときに、適切に無線基地局１００の処理負荷を低減することができる。
【００４４】
上述したように、無線基地局１００におけるＰＲＢ使用率が予め定められた閾値より高いとＰＲＢ判定部１１４によって判定された場合に、移動局情報取得部１２２、移動局特定部１２４、及び処理実行部１２６が上記処理を実行することによって、無線基地局１００の処理負荷が高いときに、適切に無線基地局１００の処理負荷を低減することができる。
【００４５】
上述したように、移動局推定部１２０によって推定された複数の移動局４００のみについて、通信品質及び通信リソースの量を取得し、推定された複数の移動局４００からハンドオーバの対象となる移動局４００を特定することによって、移動局情報取得部１２２及び移動局特定部１２４の処理負荷を適切に低減することができる。
【００４６】
図３は、無線基地局１００による処理の流れの一例を概略的に示す。無線基地局１００は、図３に示す処理を定期的に実行してよい。無線基地局１００は、図３に示す処理を、無線基地局１００の管理者等の指示に従って実行してもよい。図３に示す各処理は、無線基地局１００が備える制御部が主体となって実行される。
【００４７】
ステップ３０２（ステップをＳと省略して表記する場合がある。）では、移動局推定部１２０が、セルエッジに位置する移動局４００（ＣＥＵ（Ｃｅｌｌ  Ｅｄｇｅ  Ｕｓｅｒ））の有無を判定する。ＣＥＵ有と判定された場合、Ｓ３０４に進み、ＣＥＵ無と判定された場合、処理を終了する。
【００４８】
Ｓ３０４では、接続数判定部１１２が、無線基地局１００と無線通信接続を確立している移動局４００の数が閾値より多いか否かを判定する。多いと判定された場合、Ｓ３０６に進み、多いと判定されなかった場合、処理を終了する。
【００４９】
Ｓ３０６では、移動局情報取得部１２２が、ＣＥＵとの間の通信品質と、ＣＥＵに割り当てられている通信リソースの量とを取得する。ＣＥＵが複数の場合、移動局情報取得部１２２は、複数のＣＥＵのうちの一のＣＥＵについて、通信品質及び通信リソースの量を取得してよい。
【００５０】
Ｓ３０８では、移動局特定部１２４が、Ｓ３０６において取得された通信品質が閾値よりも低いか否かを判定する。低いと判定された場合、Ｓ３１０に進み、低いと判定されなかった場合、Ｓ３１６に進む。
【００５１】
Ｓ３１０では、移動局特定部１２４が、Ｓ３０６において取得された通信リソースの量が閾値よりも多いか否かを判定する。多いと判定された場合、Ｓ３１２に進み、多いと判定されなかった場合、Ｓ３１６に進む。
【００５２】
Ｓ３１２では、処理実行部１２６が、ＣＥＵのハンドオーバ先が有るか否かを判定する。処理実行部１２６は、例えば、ハンドオーバの候補となる無線基地局を選択し、選択した無線基地局の品質測定を、ＣＥＵに対して指示する。そして、処理実行部１２６は、ＣＥＵから測定結果を受信し、測定結果から、ＣＥＵをハンドオーバする無線基地局の有無を判定する。ハンドオーバ先が有ると判定された場合、Ｓ３１４に進み、ハンドオーバ先が無いと判定された場合、Ｓ３１６に進む。Ｓ３１４では、処理実行部１２６が、ＣＥＵに対してハンドオーバ指示を送信する。
【００５３】
Ｓ３１６では、すべてのＣＥＵについて処理が終了したか否かを判定する。終了していないと判定された場合、Ｓ３０４に戻り、終了したと判定された場合、処理を終了する。
【００５４】
図４は、無線基地局１００として機能するコンピュータ９００の一例を概略的に示す。コンピュータ９００は、制御部９０２、記憶部９０４、有線通信部９０６、及び無線通信部９０８を備える。
【００５５】
制御部９０２は、プロセッサ等を有し、各種制御を実行する。記憶部９０４は、ＲＡＭ、ＲＯＭ、及びハードディスク等を有し、各種情報を記憶する。有線通信部９０６は、有線の通信インタフェースを有し、コアネットワーク等との通信を実行する。無線通信部９０８は、アンテナを有し、移動局４００との間で無線通信を実行する。
【００５６】
コンピュータ９００にインストールされ、コンピュータ９００を無線基地局１００として機能させるプログラムは、制御部９０２のプロセッサ等に働きかけて、コンピュータ９００を、無線基地局１００の各部としてそれぞれ機能させてよい。これらのプログラムに記述された情報処理は、コンピュータ９００に読込まれることにより、ソフトウエアと上述した各種のハードウエア資源とが協働した具体的手段である通信制御部１０２、移動局情報管理部１０４、基地局情報管理部１０６、判定部１１０、移動局推定部１２０、移動局情報取得部１２２、移動局特定部１２４、及び処理実行部１２６として機能する。そして、これらの具体的手段によって、本実施形態におけるコンピュータ９００の使用目的に応じた情報の演算又は加工を実現することにより、使用目的に応じた特有の無線基地局１００が構築される。なお、本実施形態に係るプログラムは、通信制御部１０２、移動局情報管理部１０４、基地局情報管理部１０６、及び処理実行部１２６を備えるコンピュータ９００にインストールされることによって、コンピュータ９００を、判定部１１０、移動局推定部１２０、移動局情報取得部１２２、及び移動局特定部１２４として機能させてもよい。
【００５７】
以上の説明において、本実施形態に係る無線基地局の一例として、時分割多重方式を用いる無線基地局１００を挙げて説明したが、これに限らない。本実施形態に係る無線基地局は、周波数分割多重方式を用いる無線基地局３００であってもよい。また、他の通信方式を用いる無線基地局であってもよい。
【００５８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５９】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００６０】
１２  無線通信エリア、１４  無線通信エリア、１６  境界、２２  無線通信エリア、２４  無線通信エリア、２６  境界、３２  無線通信エリア、３６  境界、１００  無線基地局、１０２  通信制御部、１０４  移動局情報管理部、１０６  基地局情報管理部、１１０  判定部、１１２  接続数判定部、１１４  ＰＲＢ判定部、１２０  移動局推定部、１２２  移動局情報取得部、１２４  移動局特定部、１２６  処理実行部、２００  無線基地局、３００  無線基地局、４００  移動局、９００  コンピュータ、９０２  制御部、９０４  記憶部、９０６  有線通信部、９０８  無線通信部
【図１】
2018032988.tif 000003
【図２】
2018032988.tif 000004
【図３】
2018032988.tif 000005
【図４】
2018032988.tif 000006